(57)【特許請求の範囲】
【請求項１】
バッテリー端子と接続され過電流が流れたときに可溶体が溶断するヒュージブルリンクと、
前記バッテリー端子をバッテリー筐体のポスト立設面に設けられたバッテリーポストに締結可能な位置に装着する装着部、及び、前記装着部と連接され前記ヒュージブルリンクを前記ポスト立設面に保持する保持部を有する保持機構と、
前記保持機構を前記ポスト立設面上に係止する係止機構とを備え、
前記係止機構は、弾性変形可能に形成され先端部に前記バッテリー筐体と係止可能である係止部が設けられたバネ体と、前記保持機構に回動可能に支持されると共に前記バネ体を回動に伴って前記係止部と前記バッテリー筐体とが係止される係止位置と前記係止部と前記バッテリー筐体との係止が解除される解除位置との間で移動可能に前記保持機構に支持する線状部材とを有し、
前記バネ体は、前記線状部材に支持される被支持部を基端部として渦巻き状に形成され、渦巻き状の外側の前記先端部に前記係止部が設けられることを特徴とする、
ヒュージブルリンクユニット。
【請求項２】
前記バネ体は、前記被支持部と、前記被支持部から前記線状部材の回動軸線に沿った第１方向と交差する第２方向に沿って延在する第１延在部と、前記第１延在部から前記被支持部側に折り返される第１屈曲部と、前記第１屈曲部から前記第２方向に沿って前記第１延在部と並行して延在する第２延在部と、前記被支持部を挟んで前記第１屈曲部とは反対側で前記第２延在部から前記被支持部側に折り返される第２屈曲部と、前記第２屈曲部から前記第１方向、前記第２方向の双方と交差する第３方向に沿って延在し前記係止部が設けられる前記先端部を構成する第３延在部とを含んで構成され、少なくとも前記第１屈曲部が前記第３方向に弾性変形し前記第２屈曲部が前記第２方向に弾性変形する、
請求項１に記載のヒュージブルリンクユニット。
【請求項３】
前記被支持部は、前記第１延在部から前記第１屈曲部とは逆側に折り返され内側に前記線状部材が挿入される、
請求項２に記載のヒュージブルリンクユニット。
【請求項４】
前記バネ体を前記解除位置側に付勢する付勢部を備える、
請求項１乃至請求項３のいずれか１項に記載のヒュージブルリンクユニット。
【発明の詳細な説明】
【技術分野】
【０００１】
本発明は、ヒュージブルリンクユニットに関する。
【背景技術】
【０００２】
従来のヒュージブルリンクユニットに関連する技術として、例えば、特許文献１には、バッテリー端子に立設されたボルトに接続される電源側端子と、負荷端子に接続される負荷側端子と、電源側端子と負荷側端子に渡して設けられた可溶体とが平板状に一体形成された導体と、電源側端子と負荷側端子の他端子との接続部をそれぞれ露出させて導体を被覆してなる樹脂製のカバーを備えるヒューズユニットが開示されている。  
【先行技術文献】
【特許文献】
【０００３】
【特許文献１】特開２０１３−０３７９４９号公報
【発明の概要】
【発明が解決しようとする課題】
【０００４】
ところで、上述の特許文献１に記載のヒューズユニットは、例えば、バッテリーに対する組み付けの点でさらなる改善の余地がある。
【０００５】
本発明は、上記の事情に鑑みてなされたものであって、バッテリーに対して適正に組み付けることができるヒュージブルリンクユニットを提供することを目的とする。
【課題を解決するための手段】
【０００６】
上記目的を達成するために、本発明に係るヒュージブルリンクユニットは、バッテリー端子と接続され過電流が流れたときに可溶体が溶断するヒュージブルリンクと、前記バッテリー端子をバッテリー筐体のポスト立設面に設けられたバッテリーポストに締結可能な位置に装着する装着部、及び、前記装着部と連接され前記ヒュージブルリンクを前記ポスト立設面に保持する保持部を有する保持機構と、前記保持機構を前記ポスト立設面上に係止する係止機構とを備え、前記係止機構は、弾性変形可能に形成され先端部に前記バッテリー筐体と係止可能である係止部が設けられたバネ体と、前記保持機構に回動可能に支持されると共に前記バネ体を回動に伴って前記係止部と前記バッテリー筐体とが係止される係止位置と前記係止部と前記バッテリー筐体との係止が解除される解除位置との間で移動可能に前記保持機構に支持する線状部材とを有し、前記バネ体は、前記線状部材に支持される被支持部を基端部として渦巻き状に形成され、渦巻き状の外側の前記先端部に前記係止部が設けられることを特徴とする。
【０００７】
また、上記ヒュージブルリンクユニットでは、前記バネ体は、前記被支持部と、前記被支持部から前記線状部材の回動軸線に沿った第１方向と交差する第２方向に沿って延在する第１延在部と、前記第１延在部から前記被支持部側に折り返される第１屈曲部と、前記第１屈曲部から前記第２方向に沿って前記第１延在部と並行して延在する第２延在部と、前記被支持部を挟んで前記第１屈曲部とは反対側で前記第２延在部から前記被支持部側に折り返される第２屈曲部と、前記第２屈曲部から前記第１方向、前記第２方向の双方と交差する第３方向に沿って延在し前記係止部が設けられる前記先端部を構成する第３延在部とを含んで構成され、少なくとも前記第１屈曲部が前記第３方向に弾性変形し前記第２屈曲部が前記第２方向に弾性変形するものとすることができる。
【０００８】
また、上記ヒュージブルリンクユニットでは、前記被支持部は、前記第１延在部から前記第１屈曲部とは逆側に折り返され内側に前記線状部材が挿入されるものとすることができる。
【０００９】
また、上記ヒュージブルリンクユニットでは、前記バネ体を前記解除位置側に付勢する付勢部を備えるものとすることができる。
【発明の効果】
【００１０】
本発明に係るヒュージブルリンクユニットは、バッテリー端子が装着される保持機構にヒュージブルリンクを保持すると共に、弾性変形可能に形成されるバネ体と、当該バネ体を係止位置と解除位置との間で移動可能に支持する線状部材とを有する係止機構によって、当該保持機構をポスト立設面上に係止することから、バッテリーに対して適正に組み付けることができる、という効果を奏する。
【図面の簡単な説明】
【００１１】
【図１】図１は、実施形態１に係るヒュージブルリンクユニットの概略構成を表す分解斜視図である。
【図２】図２は、実施形態１に係るヒュージブルリンクユニットの概略構成を表す分解斜視図である。
【図３】図３は、実施形態１に係るヒュージブルリンクユニットの概略構成を表す斜視図である。
【図４】図４は、実施形態１に係るヒュージブルリンクユニットが適用されるバッテリーの概略構成を表す斜視図である。
【図５】図５は、実施形態１に係るヒュージブルリンクユニットが備えるヒュージブルリンクの可溶体エレメントの概略構成を表す斜視図である。
【図６】図６は、実施形態１に係るヒュージブルリンクユニットの第１係止爪部を含む第１幅方向に沿った部分断面図である。
【図７】図７は、実施形態１に係るヒュージブルリンクユニットの第２係止爪部を含む第１幅方向に沿った部分断面図である。
【図８】図８は、実施形態１に係るヒュージブルリンクユニットのポスト立設面側の概略構成を表す斜視図である。
【図９】図９は、実施形態１に係るヒュージブルリンクユニットの係止機構支持部近傍の概略構成を表す斜視図である。
【図１０】図１０は、実施形態１に係るヒュージブルリンクユニットの係止機構支持部近傍の概略構成を表す分解斜視図である。
【図１１】図１１は、実施形態１に係るヒュージブルリンクユニットの係止機構支持部近傍の概略構成を表す断面斜視図である。
【図１２】図１２は、実施形態１に係るヒュージブルリンクユニットの係止機構支持部近傍の概略構成を表す斜視図である。
【図１３】図１３は、実施形態１に係るヒュージブルリンクユニットが備えるカバーの概略構成を表す斜視図である。
【図１４】図１４は、実施形態１に係るヒュージブルリンクユニットの第１係止凹部、第１カバー係止爪部を含む第１幅方向に沿った部分断面図である。
【図１５】図１５は、実施形態１に係るヒュージブルリンクユニットの第２係止凹部、第２カバー係止爪部を含む第１幅方向に沿った部分断面図である。
【図１６】図１６は、変形例１に係るヒュージブルリンクユニットが備える係止機構の概略構成を表す斜視図である。
【図１７】図１７は、変形例２に係るヒュージブルリンクユニットの係止機構支持部近傍の概略構成を表す斜視図である。
【図１８】図１８は、実施形態２に係るヒュージブルリンクユニットの係止機構支持部近傍の概略構成を表す斜視図である。
【図１９】図１９は、実施形態３に係るヒュージブルリンクユニットの第１係止爪部を含む第１幅方向に沿った部分断面図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
［実施形態１］
図１、図２は、実施形態１に係るヒュージブルリンクユニットの概略構成を表す分解斜視図である。図３は、実施形態１に係るヒュージブルリンクユニットの概略構成を表す斜視図である。図４は、実施形態１に係るヒュージブルリンクユニットが適用されるバッテリーの概略構成を表す斜視図である。図５は、実施形態１に係るヒュージブルリンクユニットが備えるヒュージブルリンクの可溶体エレメントの概略構成を表す斜視図である。図６は、実施形態１に係るヒュージブルリンクユニットの第１係止爪部を含む第１幅方向に沿った部分断面図である。図７は、実施形態１に係るヒュージブルリンクユニットの第２係止爪部を含む第１幅方向に沿った部分断面図である。図８は、実施形態１に係るヒュージブルリンクユニットのポスト立設面側の概略構成を表す斜視図である。図９、図１２は、実施形態１に係るヒュージブルリンクユニットの係止機構支持部近傍の概略構成を表す斜視図である。図１０は、実施形態１に係るヒュージブルリンクユニットの係止機構支持部近傍の概略構成を表す分解斜視図である。図１１は、実施形態１に係るヒュージブルリンクユニットの係止機構支持部近傍の概略構成を表す断面斜視図である。図１３は、実施形態１に係るヒュージブルリンクユニットが備えるカバーの概略構成を表す斜視図である。図１４は、実施形態１に係るヒュージブルリンクユニットの第１係止凹部、第１カバー係止爪部を含む第１幅方向に沿った部分断面図である。図１５は、実施形態１に係るヒュージブルリンクユニットの第２係止凹部、第２カバー係止爪部を含む第１幅方向に沿った部分断面図である。図１６は、変形例１に係るヒュージブルリンクユニットが備える係止機構の概略構成を表す斜視図である。図１７は、変形例２に係るヒュージブルリンクユニットの係止機構支持部近傍の概略構成を表す斜視図である。
【００１４】
なお、以下の説明では、バッテリーポスト１０２の中心軸線Ｘに沿った方向を軸方向という。典型的には、軸方向は、バッテリー１００が車両等に搭載された状態で、鉛直方向に沿った方向となり、後述するバッテリー筐体１０１のポスト立設面１０５は、典型的には、バッテリー筐体１０１の鉛直方向上面に相当する。以下では、軸方向一方側を軸方向下側、軸方向他方側を軸方向上側という場合がある。またここでは、以下の説明を分かり易くするために、便宜的に当該軸方向と直交する２方向のうち一方を第１幅方向といい、他方を第２幅方向という。これら第１方向としての第１幅方向、及び、第２方向としての第２幅方向、及び、第３方向としての軸方向は、互いに直交する。第１幅方向は、後述する線状部材５２の回動軸線Ｘ１に沿った方向に相当する。また、以下の説明では、特に断りのない限り、ヒュージブルリンクユニット１の各部がバッテリーポスト１０２に適正な位置関係で組み付けられ、車両に搭載された状態での方向として説明する。
【００１５】
本実施形態に係るヒュージブルリンクユニット（以下、「ＦＬ（Ｆｕｓｉｂｌｅ  Ｌｉｎｋ）ユニット」という場合がある。）１は、図１、図２、図３等に示すように、車両等に搭載されるバッテリー１００に接続されるバッテリー端子２に適用され、電装回路の過電流保護に用いられるものである。ＦＬユニット１は、バッテリー１００のバッテリーポスト１０２に組み付けられるものであり、バッテリー端子２と、ヒュージブルリンク３と、保持機構としてのプロテクタ４と、係止機構５と、接続部材としての連結端子６と、カバー７とを備える。
【００１６】
ここで、このＦＬユニット１が適用されるバッテリー１００は、例えば、車両等に蓄電装置として搭載されるものである。バッテリー１００は、図４に示すように、バッテリー液や当該バッテリー１００を構成する種々の部品を収容するバッテリー筐体１０１、当該バッテリー筐体１０１に設けられた上述のバッテリーポスト１０２等を含んで構成される。バッテリー筐体１０１は、いずれか１つの面が開放された略矩形箱状の筐体本体１０３と、上記開放された面を閉塞させる蓋部材１０４とを含んで構成され、全体として略直方体形状に形成される。ここでは、バッテリー筐体１０１は、第１幅方向に沿った方向が長辺、第２幅方向に沿った方向が短辺となるがこれに限らない。バッテリーポスト１０２は、導電性を有する鉛等により構成され、蓋部材１０４のポスト立設面１０５に立設される。
【００１７】
ポスト立設面１０５は、バッテリー筐体１０１においてバッテリーポスト１０２が立設される面である。ここでは、当該ポスト立設面１０５は、例えば、バッテリー１００が車両等に搭載された状態で、バッテリー筐体１０１を構成する蓋部材１０４の鉛直方向上側の面（鉛直方向上面）である。このポスト立設面１０５は、蓋部材１０４の鉛直方向上側の面に形成された凹部１０６の底面も含む、蓋部材１０４の鉛直方向上面全体である。凹部１０６は、蓋部材１０４の鉛直方向上側の面の角位置近傍において略矩形状に陥没した一対の矩形状凹部１０６ａ、１０６ｂと、当該一対の矩形状凹部１０６ａを接続し連通する接続凹部１０６ｃとを含んで形成される。一対の矩形状凹部１０６ａ、１０６ｂは、第２幅方向の一方側で、第１幅方向に互いに対向する角部に形成される。接続凹部１０６ｃは、蓋部材１０４の第１幅方向の縁部に沿って形成される。バッテリーポスト１０２は、蓋部材１０４の鉛直方向上側の面の角位置近傍に形成された各矩形状凹部１０６ａ、１０６ｂ内のポスト立設面１０５にそれぞれ１つずつ一対で立設される。各バッテリーポスト１０２は、略円柱形状であり、中心軸線Ｘがポスト立設面１０５と略直交（直交を含む）するような位置関係で当該ポスト立設面１０５上に突出するようにして立設される。各バッテリーポスト１０２は、典型的には、軸方向の先端側に進むにつれて径が小さくなるようテーパが付けられている。つまり、各バッテリーポスト１０２は、先端の外径が基端の外径より小さいテーパ形状となる。一対のバッテリーポスト１０２は、一方（ここでは図４に向かって右側のバッテリーポスト１０２）が陽極用を構成し、他方（ここでは図４に向かって左側のバッテリーポスト１０２）が陰極用を構成する。
【００１８】
そして、本実施形態のＦＬユニット１は、バッテリー端子２が装着されるプロテクタ４にヒュージブルリンク３を保持すると共に、弾性変形可能に形成されるバネ体５１と、バネ体５１を係止位置と解除位置との間で移動可能にプロテクタ４に支持する線状部材５２とを有する係止機構５によって、当該プロテクタ４をポスト立設面１０５上に係止することで、バッテリー１００に対する適正な組み付け性の確保を図ったものである。以下、各図を参照してＦＬユニット１の各構成について詳細に説明する。
【００１９】
なお、以下の説明では、ＦＬユニット１が陽極側のバッテリーポスト１０２に対して適用される場合を説明するがこれに限らない。なお、本実施形態のバッテリー１００は、いわゆるＥＮ規格（Ｅｕｒｏｐｅａｎ  Ｎｏｒｍ（Ｅｕｒｏｐｅａｎ  Ｓｔａｎｄａｒｄｓ：欧州規格）のバッテリーであるが、ＦＬユニット１の適用対象はこれに限らない。
【００２０】
具体的には、バッテリー端子２は、図１、図２に示すように、バッテリーポスト１０２に取り付けられることにより、バッテリー１００と、このバッテリー１００が搭載される車両等の本体側の電線の末端に設けられた端子等の金具（ここでは、連結バスバとしても兼用される後述の連結端子６）とを電気的に接続するための部品である。バッテリー端子２は、本体部２１と、スタッドボルト２２と、締付部２３とを備える。本体部２１は、例えば、導電性を有する金属板のプレス折り曲げ加工により、環状部２１ａ、ボルト保持部２１ｂ等が一体で形成される。環状部２１ａは、バッテリーポスト１０２が挿入されるポスト挿入孔２１ｃと、当該ポスト挿入孔２１ｃと連続するスリット２１ｄが形成される。ポスト挿入孔２１ｃは、略円形状に形成され、バッテリーポスト１０２が挿入された状態で、各内周面がバッテリーポスト１０２と接触するように、内周壁面に上述したバッテリーポスト１０２のテーパに対応したテーパを有している。ボルト保持部２１ｂは、例えば、ボルト挿入孔２１ｅにスタッドボルト２２の軸部２２ａが挿入された状態で折り曲げ加工されることで、当該スタッドボルト２２を保持する部分である。スタッドボルト２２は、導電性を有し、ボルト保持部２１ｂに保持された状態で、ボルト挿入孔２１ｅから露出した軸部２２ａに電線の末端に設けられた端子等の金具、ここでは、後述の連結端子６が電気的に接続される。締付部２３は、ポスト挿入孔２１ｃ内にバッテリーポスト１０２が挿入された状態で、環状部２１ａを当該バッテリーポスト１０２に締結するものである。締付部２３は、例えば、ボルトと、ナットとを含んで構成され、当該ボルトが上述のスリット２１ｄを横断するような位置関係で本体部２１に組み付けられる。そして、締付部２３は、ボルトの先端部分にナットが螺合されることで、環状部２１ａを締め付けてバッテリー端子２をバッテリーポスト１０２に締結する。
【００２１】
ヒュージブルリンク３は、図１、図２、図５に示すように、バッテリー端子２と接続され過電流が流れたときに可溶体（ヒューズ）３１ｃが溶断するものである。ヒュージブルリンク３は、可溶体３１ｃが設けられた可溶体エレメント３１と、可溶体エレメント３１に連接されるスタッドボルト３２と、可溶体エレメント３１を支持する樹脂製のハウジング（ブロック）３３とを含んで構成される。
【００２２】
可溶体エレメント３１は、導電性を有する板状の導体であり、金属バスバによって構成される。可溶体エレメント３１は、連結端子６、スタッドボルト３２等を介してバッテリー端子２に接続される電源側端子３１ａと、負荷端子に接続される複数の負荷側端子３１ｂと、電源側端子３１ａと各負荷側端子３１ｂとに渡して設けられた可溶体３１ｃとが平板状に形成されると共に負荷側端子３１ｂの一部が屈曲部を有するように曲げ加工が施されている。各可溶体３１ｃは、電源側端子３１ａと各負荷側端子３１ｂとをそれぞれ導通接続している。各可溶体３１ｃは、例えば、幅を狭めた帯状の導電部に低融点金属チップを溶着させた構成で、過電流が流れたときに溶断し該当する電流経路を遮断する。ここで、可溶体３１ｃの過電流とは、例えば、予め設定された定格以上の電流である。つまり、各可溶体３１ｃは、予め設定された定格以上の電流が流れたときに溶断する。各可溶体３１ｃの定格電流は、保護する回路の電流に合わせてそれぞれ決められる。電源側端子３１ａ、各負荷側端子３１ｂは、それぞれボルト取付孔やコネクタ接続形状が設けられており、例えば、ボルト取付孔にはスタッドボルト３２が接合される。
【００２３】
各スタッドボルト３２は、導電性を有し、外部回路の負荷端子やバッテリー端子２が電気的に接続される。ここでは、ヒュージブルリンク３は、複数のスタッドボルト３２のうち電源側端子３１ａに設けられたスタッドボルト３２Ａが後述の連結端子６を介してバッテリー端子２と電気的に接続される。
【００２４】
ハウジング３３は、絶縁性の樹脂材によって形成され、可溶体エレメント３１及びスタッドボルト３２を支持して覆うブロック状ボディである。本実施形態のヒュージブルリンク３は、例えば、インサート成形等によってハウジング３３の内部に可溶体エレメント３１、スタッドボルト３２が埋設され一体化される。
【００２５】
ヒュージブルリンク３は、上記の可溶体エレメント３１、スタッドボルト３２、及び、ハウジング３３によって構成され、全体として略矩形箱状に形成された本体部３Ａと、当該本体部３Ａから垂れ下がるようにして軸方向下側（典型的には鉛直方向下側）に突出する垂下部３Ｂとを有している。ヒュージブルリンク３は、本体部３Ａに２つのスタッドボルト３２が軸方向に突出するように設けられる。本体部３Ａに設けられたスタッドボルト３２のうちの１つは、電源側端子３１ａに設けられたスタッドボルト３２Ａである。また、ヒュージブルリンク３は、垂下部３Ｂに３つのスタッドボルト３２が第２幅方向に突出するように設けられる。本体部３Ａの２つのスタッドボルト３２（スタッドボルト３２Ａ）は、第１幅方向の一方側に片寄されて設けられている。また、ヒュージブルリンク３は、ハウジング３３において、各可溶体３１ｃを目視可能な位置に開口部３３ａが設けられており、この開口部３３ａに着脱可能な蓋体３３ｂが設けられている。
【００２６】
また、ヒュージブルリンク３は、ハウジング３３に一対の係止突起部３３ｃを有している。一対の係止突起部３３ｃは、後述のプロテクタ４に係止され保持される部分である。一対の係止突起部３３ｃは、ハウジング３３の第１幅方向の両端部にそれぞれ１つずつ、第１幅方向に互いに対向する位置に形成される。一対の係止突起部３３ｃは、ハウジング３３の第１幅方向の両端部における軸方向上側（垂下部３Ｂが垂れ下がる側とは反対側であり、典型的には鉛直方向上側）の端部の外面から第１幅方向に沿って互いに外方（離間する方向）に向けて突出している。
【００２７】
プロテクタ４は、図１、図２、図６、図７、図８、図９、図１０、図１１に示すように、バッテリー筐体１０１の蓋部材１０４とバッテリー端子２との間に介在する部材であり、バッテリー端子２、ヒュージブルリンク３をポスト立設面１０５上に保持するものである。プロテクタ４は、装着部４１と、保持部４２と、係止機構支持部４３とを有し、これらがバッテリー液に対しての耐食性（防食機能）を有する絶縁性の樹脂材によって一体形成される。プロテクタ４は、ポスト立設面１０５上に組み付けられた状態で第１幅方向に沿って取付対象となるバッテリーポスト１０２側から装着部４１、保持部４２、係止機構支持部４３の順で隣接して一体に連接される。
【００２８】
装着部４１は、図１、図２に示すように、バッテリー端子２を装着可能な部分、言い換えれば、バッテリー端子２が装着される部分である。装着部４１は、バッテリー端子２をバッテリーポスト１０２に締結可能な位置に装着する。装着部４１は、バッテリー端子２のスタッドボルト２２の軸部２２ａが突出する側とは反対側に位置してバッテリー端子２が装着される。装着部４１は、バッテリーポスト１０２にバッテリー端子２が締結された状態でポスト立設面１０５とバッテリー端子２との間に介在する。装着部４１は、全体として略矩形板状に形成され、バッテリー端子２を収容する収容凹部４１ａ（図１参照）、及び、バッテリーポスト１０２が挿入される挿入孔４１ｂ（図１参照）を有する。収容凹部４１ａは、バッテリー端子２の形状に合わせて凹部状に形成される。収容凹部４１ａは、バッテリー端子２の環状部２１ａとボルト保持部２１ｂとが第２幅方向に沿って並び、かつ、ボルト保持部２１ｂが環状部２１ａの第２幅方向外側（後述の筐体側面側）に位置する位置関係でバッテリー端子２を収容可能に形成される。装着部４１は、この収容凹部４１ａの底部を構成する板状の部分がポスト立設面１０５とバッテリー端子２との間に介在するベース部となる。
【００２９】
装着部４１は、収容凹部４１ａ内にバッテリー端子２を係止するための係止爪が設けられると共に、バッテリーポスト１０２が挿入される挿入孔４１ｂが当該収容凹部４１ａ内に形成される。挿入孔４１ｂは、中心軸線Ｘを中心とした略円形状に形成される。挿入孔４１ｂは、収容凹部４１ａ内にバッテリー端子２が収容、係止された状態でバッテリー端子２のポスト挿入孔２１ｃと軸方向に対向する位置に形成される。挿入孔４１ｂは、バッテリー１００等で許容される公差等を踏まえてバッテリーポスト１０２の外径よりも十分に大きく形成される。なお、バッテリー端子２は、ポスト挿入孔２１ｃの内周壁面から突出する円環状壁部２１ｆ（図８参照）を有し、装着部４１の収容凹部４１ａ内に収容、係止された状態で、当該円環状壁部２１ｆが装着部４１の挿入孔４１ｂに嵌合することによっても収容凹部４１ａ内に係止される。装着部４１は、挿入孔４１ｂにバッテリーポスト１０２が挿入された状態でポスト立設面１０５の凹部１０６を構成する矩形状凹部１０６ａ内に配置可能な大きさ、形状で形成される。なお、装着部４１は、挿入孔４１ｂにかえて、バッテリーポスト１０２が貫通可能なポスト挿入切り欠きを備える構成であってもよい。
【００３０】
そして、装着部４１は、さらに収容凹部４１ａに隣接して端子カバー４１ｃも有している。端子カバー４１ｃは、収容凹部４１ａが形成されている部分に対してヒンジ等を介して開閉自在に連結されており、収容凹部４１ａ内に収容されたバッテリー端子２の環状部２１ａを覆い、軸方向に対して収容凹部４１ａとの間に当該バッテリー端子２を保持するものである。端子カバー４１ｃは、収容凹部４１ａとの間にバッテリー端子２を保持した状態で収容凹部４１ａが形成されている部分に係止爪等を介して係止される。端子カバー４１ｃは、収容凹部４１ａとの間にバッテリー端子２を保持した状態で、挿入孔４１ｂと軸方向に対向する位置に、バッテリーポスト１０２の形状に対応した略半円形状の切り欠き４１ｄが形成される。なお、端子カバー４１ｃは、装着部４１と別体に形成されるものであってもよい。
【００３１】
保持部４２は、図１、図２に示すように、装着部４１と連接されヒュージブルリンク３をポスト立設面１０５に保持する部分である。保持部４２は、略矩形板状に形成された底部４２ａ（図１、図８等参照）と、この底部４２ａの周縁を囲うように立設される側壁部４２ｂとを有し、これらが一体となってトレイ状（皿状）に形成される。底部４２ａは、軸方向上側の面がヒュージブルリンク３を載置する受け面４２ｃ（図１等参照）となる。側壁部４２ｂは、底部４２ａの３方を囲うように軸方向上側、すなわち、バッテリー端子２が装着部４１と共にバッテリーポスト１０２に組み付けられた状態（以下、「組み付け状態」という場合がある。）で、鉛直方向上側に向けて突出するようにして立設される。側壁部４２ｂは、底部４２ａの第１幅方向の両側、及び、第２幅方向の一方側に設けられ、第２幅方向の他方側、ここでは、組み付け状態で接続凹部１０６ｃ側に位置する側が開口している。なお、以下では、第２幅方向において接続凹部１０６ｃが位置する側、ここでは、組み付け状態で側壁部４２ｂが開口する側を、「第２幅方向における筐体側面側」という場合がある。保持部４２は、底部４２ａと側壁部４２ｂとによってヒュージブルリンク３を収容し保持するための収容空間部４２ｄ（図１等参照）が区画される。収容空間部４２ｄは、プロテクタ４がバッテリー１００のポスト立設面１０５上に組み付けられた状態で、軸方向上側（鉛直方向上側）に開口する。収容空間部４２ｄは、ヒュージブルリンク３の本体部３Ａが嵌合する大きさ、形状に形成される。
【００３２】
また、保持部４２は、図１、図２、図６、図７に示すように、側壁部４２ｂの軸方向上側の先端部（組み付け状態で鉛直方向上側の端部）に第１係止爪部４２ｅ、第２係止爪部４２ｆが形成される。第１係止爪部４２ｅは、第１幅方向において装着部４１側とは反対側に位置する側壁部４２ｂに形成され、第２係止爪部４２ｆは、第１幅方向において装着部４１側に位置する側壁部４２ｂに形成される。第１係止爪部４２ｅ、第２係止爪部４２ｆは、側壁部４２ｂの先端部が収容空間部４２ｄ側に曲がったようなフック状、あるいは、鉤状に形成され、ヒュージブルリンク３、ここでは本体部３Ａを係止可能である。第１係止爪部４２ｅ、第２係止爪部４２ｆは、第１幅方向に互いに対向する位置に形成される。つまり、第２係止爪部４２ｆは、第１幅方向に対して受け面４２ｃを挟んで第１係止爪部４２ｅと対向すると共に第１係止爪部４２ｅよりヒュージブルリンク３とバッテリー端子２との接続部分側（後述する連結端子６との接続部分側）に位置する。第１係止爪部４２ｅ、第２係止爪部４２ｆは、それぞれ、ヒュージブルリンク３の本体部３Ａの第１幅方向の各端部に形成された係止突起部３３ｃを係止可能な位置に形成される。保持部４２は、ヒュージブルリンク３の本体部３Ａが収容空間部４２ｄに位置すると共に垂下部３Ｂが側壁部４２ｂの開口から垂れ下がるように位置して嵌合された状態で、第１係止爪部４２ｅ、第２係止爪部４２ｆがそれぞれヒュージブルリンク３の各係止突起部３３ｃと軸方向に対向し、当該係止突起部３３ｃと共にヒュージブルリンク３を係止（ロック）可能である。なお、第１係止爪部４２ｅ、第２係止爪部４２ｆと各係止突起部３３ｃとは、ヒュージブルリンク３が保持部４２に嵌合された状態で、公差等に起因して軸方向に多少の隙間があることが許容される。また、ヒュージブルリンク３、保持部４２は、第１係止爪部４２ｅ、第２係止爪部４２ｆ、各係止突起部３３ｃとは別に垂下部３Ｂの背面側（第２幅方向における筐体側面側とは反対側）等にロック機構等を介して相互に係止されてもよい。
【００３３】
また、保持部４２は、図８に示すように、底部４２ａの軸方向下側の面、すなわち、受け面４２ｃとは反対側の面に膨出部４２ｇを有している。膨出部４２ｇは、底部４２ａの軸方向下側の面において、側壁部４２ｂの開口が形成される側、すなわち、組み付け状態で接続凹部１０６ｃ側（第２幅方向における筐体側面側）に位置する側の縁部に第１幅方向に沿って形成される。膨出部４２ｇは、底部４２ａの軸方向下側の面から軸方向下側に向けて突出するようにして略直方体状に形成される。膨出部４２ｇは、組み付け状態でポスト立設面１０５の凹部１０６を構成する接続凹部１０６ｃ内に配置可能な大きさ、形状で形成される。
【００３４】
上記のように構成される本実施形態の保持部４２は、第１幅方向に対して装着部４１と隣接するようにして、当該装着部４１と一体で形成される。保持部４２は、装着部４１側の側壁部４２ｂがポスト立設面１０５上の矩形状凹部１０６ａによる段差に対応するように鉛直方向下側に延在し、当該側壁部４２ｂの下端部で装着部４１と連続する。保持部４２は、このプロテクタ４が、装着部４１の挿入孔４１ｂ内にバッテリーポスト１０２が挿入されバッテリー端子２が装着部４１と共にバッテリーポスト１０２に組み付けられた状態で、装着部４１が矩形状凹部１０６ａ内に位置し膨出部４２ｇが接続凹部１０６ｃ内に位置するような位置関係でポスト立設面１０５上に載置される。保持部４２は、この組み付け状態で少なくとも一部がポスト立設面１０５上に位置し、当該ポスト立設面１０５上にヒュージブルリンク３を載置し、保持する。保持部４２は、組み付け状態で、底部４２ａの背面側（受け面４２ｃ、収容空間部４２ｄとは反対側）がポスト立設面１０５に当接して載置される。したがって、プロテクタ４は、ヒュージブルリンク３の荷重を、当該保持部４２を介してポスト立設面１０５上で受けることとなる。
【００３５】
係止機構支持部４３は、図１、図２、図９、図１０、図１１に示すように、保持部４２と連接され後述する係止機構５が設けられこれを支持する部分である。係止機構支持部４３は、保持部４２に対して装着部４１の反対側に連接される。係止機構支持部４３は、略矩形板状に形成され保持部４２と連接して形成される板状基部４３ａと、後述する線状部材５２の回動軸部５２ａを受ける軸部受け部４３ｂと、後述するバネ体５１の被支持部５１ｂを受ける被支持部受け部４３ｃとを有しこれらが一体で形成される。板状基部４３ａは、第１幅方向に対して、保持部４２の底部４２ａから装着部４１とは反対側に連接される。板状基部４３ａは、保持部４２の側壁部４２ｂを挟んで底部４２ａとは反対側、すなわち、収容空間部４２ｄの外側に形成される。上述した保持部４２の膨出部４２ｇは、当該板状基部４３ａの軸方向下面側まで延在している。軸部受け部４３ｂは、後述する線状部材５２の回動軸部５２ａを板状基部４３ａ上に回動可能に支持する部分である。軸部受け部４３ｂは、板状基部４３ａにおいて組み付け状態で、第２幅方向における筐体側面側に位置する端部に凹部状に形成される。軸部受け部４３ｂは、回動軸部５２ａを収容可能な凹部として第１幅方向に延在すると共に、凹部内に収容された回動軸部５２ａを当該凹部内に係止する係止爪部４３ｄを含んで構成される。被支持部受け部４３ｃは、後述するバネ体５１の被支持部５１ｂを板状基部４３ａ上に支持する部分である。被支持部受け部４３ｃは、第２幅方向において、軸部受け部４３ｂの筐体側面側とは反対側に段付き部を介して形成される。
【００３６】
係止機構５は、図１、図２、図９、図１０、図１１、図１２に示すように、上記のように構成されるプロテクタ４をポスト立設面１０５上に係止するものである。本実施形態の係止機構５は、弾性変形可能に形成されたバネ体５１と、バネ体５１をプロテクタ４に支持する線状部材５２とを有する。
【００３７】
バネ体５１は、弾性変形可能に形成され先端部にバッテリー筐体１０１と係止可能である係止部５１ａが設けられる。バネ体５１は、線状部材５２に支持される被支持部５１ｂを基端部として渦巻き状に形成され、渦巻き状の外側の先端部に係止部５１ａが設けられる。ここでは、バネ体５１は、係止部５１ａと、被支持部５１ｂと、第１延在部５１ｃと、第１屈曲部５１ｄと、第２延在部５１ｅと、第２屈曲部５１ｆと、第３延在部５１ｇとを含んで構成される。バネ体５１は、例えば、板棒状の金属板にプレス折り曲げ加工を施すことによって、これら係止部５１ａ、被支持部５１ｂ、第１延在部５１ｃ、第１屈曲部５１ｄ、第２延在部５１ｅ、第２屈曲部５１ｆ、第３延在部５１ｇ等が一体で形成され、これらによって渦巻き状に形成される。
【００３８】
係止部５１ａは、バッテリー筐体１０１に係止される部分であり、バネ体５１の一方の端部（プロテクタ４がバッテリー１００のポスト立設面１０５上に組み付けられた状態で軸方向下側の先端部）がフック状、あるいは、鉤状に曲げ加工されることで形成される。係止部５１ａは、バッテリー筐体１０１において、蓋部材１０４の縁部の軸方向下端面に係止される。ここでは、係止部５１ａは、先端部が第２幅方向における筐体側面側とは反対側に曲げられると共に先割れし二又になっている。被支持部５１ｂは、線状部材５２に支持される部分であり、バネ体５１の他方の端部が円筒状に折り返されるようにして曲げ加工されることで形成される。被支持部５１ｂは、円筒状の内側に線状部材５２の一部が挿入される。第１延在部５１ｃは、被支持部５１ｂから第２幅方向に沿って延在する部分である。第１屈曲部５１ｄは、第１延在部５１ｃから第２幅方向に沿って被支持部５１ｂ側に折り返される部分である。ここでは、第１屈曲部５１ｄは、第１延在部５１ｃの被支持部５１ｂとは反対側の端部から軸方向上側に略半円弧状に折り返される。第２延在部５１ｅは、第１屈曲部５１ｄから第１延在部５１ｃと並行して延在する部分である。ここでは、第２延在部５１ｅは、第１屈曲部５１ｄから第２幅方向に沿って筐体側面側に向けて延在し、被支持部５１ｂ、第１延在部５１ｃの軸方向上側に位置する。第２屈曲部５１ｆは、被支持部５１ｂを挟んで第１屈曲部５１ｄとは反対側で第２延在部５１ｅから被支持部５１ｂ側に折り返される部分である。ここでは、第２屈曲部５１ｆは、第２延在部５１ｅの第１屈曲部５１ｄとは反対側の端部から軸方向下側に略四分の一円弧状に折り返される。第３延在部５１ｇは、第２屈曲部５１ｆから軸方向に沿って延在し、係止部５１ａが設けられる先端部を構成する部分である。ここでは、第３延在部５１ｇは、軸方向下側に向かって延在し当該軸方向下側の端部が係止部５１ａを構成する。このようにして、バネ体５１は、線状部材５２に支持される被支持部５１ｂを基端部として渦巻き状に形成され、渦巻き状の外側の先端部に係止部５１ａが設けられる。なおここでは、被支持部５１ｂは、第１延在部５１ｃから第１屈曲部５１ｄとは逆側に円筒状に折り返され内側に線状部材５２の連結部５２ｂが挿入される。
【００３９】
線状部材５２は、プロテクタ４の係止機構支持部４３に回動可能に支持されると共にバネ体５１を係止位置（図９等参照）と解除位置（図１２等参照）との間で移動可能に係止機構支持部４３に支持するものである。ここでは、線状部材５２は、レバー部５２ｃの回動に伴ってバネ体５１を係止位置と解除位置との間で移動させる。ここで、バネ体５１の係止位置とは、図９等に示すように、係止部５１ａとバッテリー筐体１０１とが係止される位置である。一方、バネ体５１の解除位置とは、図１２等に示すように、係止部５１ａとバッテリー筐体１０１との係止が解除される位置である。バネ体５１は、解除位置では第２幅方向の筐体側面側に突出して位置し、係止位置では第２幅方向の筐体側面側とは反対側に引きこまれて位置する。
【００４０】
線状部材５２は、プロテクタ４の係止機構支持部４３に回動可能に支持され線状部材５２の回動軸線Ｘ１を構成する回動軸部５２ａと、回動軸部５２ａとバネ体５１とを連結する連結部５２ｂと、連結部５２ｂから延在するレバー部５２ｃとを含んで構成される。線状部材５２は、例えば、回動軸部５２ａ、連結部５２ｂ、レバー部５２ｃを一体成形した樹脂材等によって、屈曲を有する棒状に形成される。
【００４１】
回動軸部５２ａは、略円柱軸状に形成される部分である。回動軸部５２ａは、凹部として形成される軸部受け部４３ｂ内に嵌合し係止爪部４３ｄによって係止されることで軸部受け部４３ｂ内に支持される。回動軸部５２ａは、軸部受け部４３ｂ内に支持された状態で、第１幅方向に沿った回動軸線Ｘ１を回転中心として回転可能である。連結部５２ｂは、略円柱軸状に形成されバネ体５１の被支持部５１ｂの内側に挿入される軸部５２ｄと、回動軸部５２ａと軸部５２ｄとを接続する接続部５２ｅとを含んで構成される。接続部５２ｅは、軸部５２ｄと回動軸部５２ａとが並行するような位置関係で当該軸部５２ｄと当該回動軸部５２ａとを接続する。つまり、軸部５２ｄは、第１幅方向、言い換えれば、回動軸線Ｘ１に沿って延在する。回動軸部５２ａと連結部５２ｂの軸部５２ｄ、接続部５２ｅとは、全体として略コの字型に形成される。レバー部５２ｃは、連結部５２ｂの軸部５２ｄから延在する部分である。レバー部５２ｃは、軸部５２ｄの接続部５２ｅ側とは反対側の端部から接続部５２ｅの延在方向に沿って当該接続部５２ｅとは反対側に延在すると共に、先端部が屈曲することで、指でつまみやすいようにするための把持部５２ｆが形成される。
【００４２】
上記のように構成される係止機構５は、バネ体５１の被支持部５１ｂに相当する部分が、線状部材５２の接続部５２ｅの軸部５２ｄをくるむようにして折り返されることで、被支持部５１ｂの内側に接続部５２ｅの軸部５２ｄが挿入された状態で、線状部材５２がバネ体５１に組み付けられる。そして、係止機構５は、線状部材５２がバネ体５１に組み付けられた状態で、線状部材５２の回動軸部５２ａが軸部受け部４３ｂ内に嵌合され係止爪部４３ｄによって係止されることで、当該線状部材５２がバネ体５１と共に回動軸部５２ａを回動中心として回動可能に係止機構支持部４３の軸部受け部４３ｂ内に支持される。そして、係止機構５は、線状部材５２の回動軸部５２ａを回動中心としたレバー部５２ｃ、連結部５２ｂの回動に伴ってバネ体５１を図９、図１０、図１１に示す係止位置と、図１２に示す解除位置との間で移動させることができる。
【００４３】
なお、本実施形態の線状部材５２のレバー部５２ｃは、図１２に示すバネ体５１が解除位置にある状態でのバネ体５１からの突出量Ｄ２が、図９に示すバネ体５１が係止位置にある状態でのバネ体５１からの突出量Ｄ１より相対的に大きい。より詳細には、レバー部５２ｃは、バネ体５１が係止位置にある状態では、第２幅方向の筐体側面側とは反対側に突出量Ｄ１だけバネ体５１から突出する。一方、レバー部５２ｃは、バネ体５１が解除位置にある状態では、比較的に目視しやすい軸方向の上側に突出量Ｄ２だけバネ体５１から突出する。
【００４４】
連結端子６は、図１、図２に示すように、ヒュージブルリンク３とバッテリー端子２とを電気的に接続するものである。ここで、ＦＬユニット１は、バッテリー端子２が装着部４１と共にバッテリーポスト１０２に組み付けられた状態で、プロテクタ４の装着部４１が矩形状凹部１０６ａ内に位置し、保持部４２の膨出部４２ｇが接続凹部１０６ｃ内に位置するようにしてポスト立設面１０５上に載置される。そして、ＦＬユニット１は、組み付け状態でヒュージブルリンク３の本体部３Ａがポスト立設面１０５の軸方向上側に位置し垂下部３Ｂが第２幅方向の筐体側面側に位置すると共に、電源側端子３１ａに設けられたスタッドボルト３２Ａを含む本体部３Ａの２つのスタッドボルト３２が装着部４１側に片寄されて位置する。連結端子６は、このように配置されるヒュージブルリンク３のスタッドボルト３２Ａとバッテリー端子２のスタッドボルト２２とを接続する。
【００４５】
連結端子６は、導電性を有する金属板によって板状バスバとして形成される。本実施形態の連結端子６は、バッテリー端子２のスタッドボルト２２の軸部２２ａが挿入される軸部挿入孔６ａと、スタッドボルト３２の軸部３２ａが挿入される軸部挿入孔６ｂとを有すると共に、ポスト立設面１０５上の矩形状凹部１０６ａによる段差に対応するように軸部挿入孔６ａと軸部挿入孔６ｂとの間が屈曲している。ここでは、軸部挿入孔６ａは、公差吸収のため長孔状に形成されている。そして、本実施形態の連結端子６は、軸部挿入孔６ａ側に車両等の本体側の電線の末端に設けられた端子等の端子金具６ｃが一体で構成されている。連結端子６は、軸部挿入孔６ａにスタッドボルト２２の軸部２２ａが挿入された状態で軸部２２ａにナット等が螺合することで当該軸部２２ａに締結され、軸部挿入孔６ｂにスタッドボルト３２Ａの軸部３２ａが挿入された状態で軸部３２ａにナット等が螺合することで当該軸部３２ａに締結される。これにより、連結端子６は、スタッドボルト２２とスタッドボルト３２Ａとを相互に電気的に接続し、ヒュージブルリンク３の可溶体エレメント３１とバッテリー端子２とを電気的に接続することができる。また、連結端子６は、端子金具６ｃに車両等の本体側の電線（例えばスタータ等に接続される電線）が接続され加締められる。なお、図１、図２では、本体部３Ａの２つのスタッドボルト３２のうちのスタッドボルト３２Ａ以外のものに接続される端子１０７（例えば、オルタネータと接続するための端子等）も図示している。
【００４６】
カバー７は、図１、図２、図３、図１３に示すように、プロテクタ４に装着されヒュージブルリンク３を覆うものである。カバー７は、絶縁性の樹脂材によって形成される。カバー７は、略矩形板状に形成された天井部７ａと、この天井部７ａの周縁を囲うように立設される側壁部７ｂとを有し、これらが一体となって蓋状に形成される。側壁部７ｂは、天井部７ａの４方を囲うように軸方向下側、組み付け状態で、鉛直方向下側に向けて突出するようにして立設される。側壁部７ｂは、天井部７ａの第１幅方向の両側、及び、第２幅方向の両側に設けられる。カバー７は、天井部７ａと側壁部７ｂとによって装着部４１、保持部４２、係止機構支持部４３を含むプロテクタ４全体を覆うためのカバー空間部７ｃ（図１３参照）が区画される。カバー空間部７ｃは、組み付け状態で、軸方向下側（鉛直方向下側）に開口する。カバー７は、プロテクタ４全体をヒュージブルリンク３側から、すなわち、軸方向上側から覆うことができる大きさ、形状に形成される。カバー７は、ヒュージブルリンク３の垂下部３Ｂを覆う側の側壁部７ｂ、すなわち、第２幅方向の筐体側面側の側壁部７ｂが他の側壁部７ｂより軸方向に沿って長くなるように形成されている。カバー７は、垂下部３Ｂを含むヒュージブルリンク３全体を覆うことができる。カバー７は、第１幅方向の一方側の側壁部７ｂに第１係止凹部７ｄ（図１３等参照）が形成され、天井部７ａに第２係止凹部７ｅ（図１３等参照）が形成される。第１係止凹部７ｄと第２係止凹部７ｅとは、第１幅方向に互いに対向する位置に形成される。第１係止凹部７ｄ、第２係止凹部７ｅは、それぞれプロテクタ４に形成された第１カバー係止爪部４ａ（図１等参照）、第２カバー係止爪部４ｂ（図１等参照）に係止可能である。第１カバー係止爪部４ａと第２カバー係止爪部４ｂとは、第１幅方向に沿って保持部４２を挟むようにして位置している。カバー７は、第１係止凹部７ｄが第１カバー係止爪部４ａに係止され、第２係止凹部７ｅが第２カバー係止爪部４ｂと係止されることで、プロテクタ４に係止され、当該プロテクタ４全体、ひいては、バッテリー端子２、ヒュージブルリンク３、係止機構５を軸方向上側から覆うようにプロテクタ４に装着される。なお、このカバー７は、例えば、バッテリー１００の陽極にブースタケーブル等を接続するために、天井部７ａ、側壁部７ｂの一部がヒンジを介して開閉可能な構造とされている。
【００４７】
より詳細には、第１係止凹部７ｄは、図１３、図１４、図１５に示すように、アーム部材７ｆに形成され、第２係止凹部７ｅは、突出片７ｇに形成される。アーム部材７ｆは、第１幅方向の一方側の側壁部７ｂにおいて、天井部７ａから軸方向下側に向かって突出するようにして形成される。突出片７ｇは、天井部７ａの第１幅方向のほぼ中央部から軸方向下側に向かって突出するようにして形成される。アーム部材７ｆと突出片７ｇとは、第１幅方向に互いに対向する位置に形成される。さらに言えば、アーム部材７ｆと突出片７ｇとは、カバー７がプロテクタ４に装着された状態で、第１幅方向にプロテクタ４の保持部４２を挟む位置に対向して形成される。
【００４８】
アーム部材７ｆは、天井部７ａから軸方向下側に向かって突出する基部７ｈと、基部７ｈから軸方向上側に向かって折り返されて当該基部７ｈに支持される解除操作部７ｉとを含んで構成される。基部７ｈ、解除操作部７ｉは、略矩形板状に形成される。解除操作部７ｉは、第１幅方向に対して基部７ｈの外側に当該基部７ｈと重なるようにして位置し、第１幅方向に沿って基部７ｈに接近、離間可能に可撓性を有している。第１係止凹部７ｄは、第１幅方向に沿って解除操作部７ｉを貫通するようにして形成される。第１係止凹部７ｄは、第１カバー係止爪部４ａが嵌合し係止可能な略矩形状の凹部として形成される。突出片７ｇは、略矩形板状に形成される。第２係止凹部７ｅは、第１幅方向に沿って突出片７ｇを貫通するようにして形成される。第２係止凹部７ｅは、第２カバー係止爪部４ｂが嵌合し係止可能な略矩形状の凹部として形成される。
【００４９】
また、プロテクタ４に形成される第１カバー係止爪部４ａと第２カバー係止爪部４ｂとは、図１４、図１５に示すように、第１幅方向に沿って保持部４２を挟むようにして位置すると共に、第１幅方向に沿って突出する爪状に形成される。ここでは、第１カバー係止爪部４ａは、突出片４ｃに形成され、第２カバー係止爪部４ｂは、第１幅方向の一方側の側壁部４２ｂに形成される。突出片４ｃは、プロテクタ４において第１幅方向の他方側の端部、ここでは、係止機構支持部４３側の端部に形成され、板状基部４３ａから軸方向上側に向かって突出するようにして形成される（図９等も参照）。突出片４ｃは、略矩形板状に形成される。第２カバー係止爪部４ｂは、第１幅方向において装着部４１側に位置する側壁部４２ｂに形成される（図１等も参照）。突出片４ｃと、第２カバー係止爪部４ｂが形成される側壁部４２ｂとは、第１幅方向に互いに対向する位置に形成される。さらに言えば、突出片４ｃと、第２カバー係止爪部４ｂが形成される側壁部４２ｂとは、第１幅方向にプロテクタ４の保持部４２を挟む位置に対向して形成される。第１カバー係止爪部４ａと第２カバー係止爪部４ｂとは、第１幅方向に沿って同じ側に向かって突出する。ここでは、第１カバー係止爪部４ａは、突出片４ｃの軸方向上側端部から第１幅方向に沿って第２カバー係止爪部４ｂ側に突出する。第２カバー係止爪部４ｂは、装着部４１側に位置する側壁部４２ｂの軸方向上側端部から第１幅方向に沿って第１カバー係止爪部４ａ側とは反対側に突出する。つまり、第１カバー係止爪部４ａと第２カバー係止爪部４ｂとは、共に第１幅方向に沿って装着部４１側に向けて突出するようにして形成される。
【００５０】
そして、アーム部材７ｆ、突出片７ｇは、カバー７がプロテクタ４に装着された状態で、アーム部材７ｆが突出片４ｃの保持部４２側に位置し、突出片７ｇが側壁部４２ｂ（第２カバー係止爪部４ｂが形成される側壁部４２ｂ）の装着部４１に位置する。カバー７は、この状態でアーム部材７ｆに形成された第１係止凹部７ｄが第１カバー係止爪部４ａに係止され、突出片７ｇに形成された第２係止凹部７ｅが第２カバー係止爪部４ｂに係止されることで、上記のようにプロテクタ４に装着される。そして、カバー７は、プロテクタ４から取り外される際には、アーム部材７ｆの解除操作部７ｉが指等によって基部７ｈ側に押圧されて撓むことで第１係止凹部７ｄと第１カバー係止爪部４ａとの係止が解除され、この状態で第２係止凹部７ｅ、第２カバー係止爪部４ｂ側を支点としてカバー７全体を回動させるようにして取り外される。これにより、カバー７は、第１係止凹部７ｄと第２係止凹部７ｅとの２箇所の係止箇所に対して、第１係止凹部７ｄ側の１箇所の係止を解除することで、簡単な操作でプロテクタ４から取り外すことができる。
【００５１】
上記のようにして構成されるＦＬユニット１は、ヒュージブルリンク３がプロテクタ４の保持部４２の収容空間部４２ｄ内に嵌合され、第１係止爪部４２ｅ、第２係止爪部４２ｆがヒュージブルリンク３のハウジング３３の係止突起部３３ｃに係合することで、当該ヒュージブルリンク３が収容空間部４２ｄに係止されロックされる。また、ＦＬユニット１は、プロテクタ４の装着部４１にバッテリー端子２が装着される。そして、ＦＬユニット１は、プロテクタ４の装着部４１の挿入孔４１ｂ、及び、バッテリー端子２のポスト挿入孔２１ｃ内にバッテリーポスト１０２が挿入され、当該装着部４１が凹部１０６内に位置するような位置関係で、プロテクタ４がバッテリー端子２、ヒュージブルリンク３と共にバッテリー１００のポスト立設面１０５上に組み付けられる。より詳細には、ＦＬユニット１は、バッテリー端子２が装着部４１と共にバッテリーポスト１０２に組み付けられた状態で、プロテクタ４の装着部４１が矩形状凹部１０６ａ内に位置し、保持部４２の膨出部４２ｇが接続凹部１０６ｃ内に位置するようにしてポスト立設面１０５上に載置される。そして、ＦＬユニット１は、係止機構５によってプロテクタ４をポスト立設面１０５上に係止しロックすることができる。このようにして、ＦＬユニット１は、少なくともプロテクタ４の一部がバッテリー１００のポスト立設面１０５上に位置し、当該ポスト立設面１０５上にヒュージブルリンク３を載置し、保持することができる。
【００５２】
この結果、ＦＬユニット１は、プロテクタ４の装着部４１と連接された保持部４２によってヒュージブルリンク３をバッテリー筐体１０１のポスト立設面１０５に保持し、当該ポスト立設面１０５でヒュージブルリンク３の荷重を受けることで、ＦＬユニット１からバッテリー端子２に作用する荷重を抑制することができるので、バッテリーポスト１０２に作用する荷重を抑制することができる。また、ＦＬユニット１は、バッテリー筐体１０１の側面側の周囲に当該ＦＬユニット１を設置するためのスペースを確保しにくいような場合に、バッテリー筐体１０１のポスト立設面１０５（鉛直方向上面）上に設置スペースを確保しヒュージブルリンク３を配置することができるので、適正にヒュージブルリンク３を設けることができる。
【００５３】
ここで、係止機構５は、図１２に示すように、線状部材５２のレバー部５２ｃが第２幅方向の筐体側面側に引き起こされた状態とされることで、バネ体５１が板状基部４３ａに対して軸方向上側でかつ第２幅方向の筐体側面側に離間した位置となり、バネ体５１が解除位置となる。係止機構５は、解除位置では、バネ体５１の係止部５１ａが蓋部材１０４の縁部の軸方向下端面から離間して位置し、係止部５１ａとバッテリー筐体１０１との係止が解除され、すなわち、プロテクタ４をポスト立設面１０５上に係止した状態が解除される。係止機構５は、ＦＬユニット１をポスト立設面１０５上に載置しただけの段階ではバネ体５１が解除位置とされている。
【００５４】
一方、係止機構５は、図９、図１０、図１１に示すように、線状部材５２のレバー部５２ｃが第２幅方向の筐体側面側とは反対側に回動され倒された状態とされることで、バネ体５１が板状基部４３ａ側に近接した位置、ここでは、バネ体５１の被支持部５１ｂが被支持部受け部４３ｃ上に支持される位置となり、バネ体５１が係止位置となる。このとき、バネ体５１は、線状部材５２の回動軸部５２ａ、連結部５２ｂの作用によって係止部５１ａが軸方向上側に引っ張り上げられながら最終的に係止位置となる。係止機構５は、係止位置では、バネ体５１の係止部５１ａが蓋部材１０４の縁部の軸方向下端面に係止されることで、係止部５１ａとバッテリー筐体１０１とが係止され、すなわち、プロテクタ４をポスト立設面１０５上に係止しロックする。係止機構５は、上記のようにＦＬユニット１がポスト立設面１０５上に載置され、バネ体５１が解除位置から係止位置とされることで、係止部５１ａとバッテリー筐体１０１とが係止され、プロテクタ４を含むＦＬユニット１全体をポスト立設面１０５上に係止しロックすることができる。
【００５５】
このとき、係止機構５は、バネ体５１を解除位置から係止位置に移動させる動作の際に、線状部材５２を介して係止機構支持部４３に支持されたバネ体５１が弾性変形することで、バッテリー１００やこれらの構成部品の公差を吸収した上で、係止部５１ａとバッテリー筐体１０１とを確実に係止し、プロテクタ４をポスト立設面１０５上に係止することができる。より詳細には、バネ体５１は、少なくとも主に第１屈曲部５１ｄが軸方向に弾性変形することで軸方向の公差を吸収し（図９中の矢印Ａ参照）、主に第２屈曲部５１ｆが第２幅方向に弾性変形することで第２幅方向の公差を吸収することができる（図９中の矢印Ｂ参照）。
【００５６】
また、この係止機構５は、バネ体５１が線状部材５２のレバー部５２ｃの回動に伴って係止位置と解除位置とに移動する構成であることから、レバー部５２ｃの位置を目視にて確認することで、バネ体５１による係止の状態を容易に確認することができる。
【００５７】
そして、ＦＬユニット１は、バッテリー端子２がバッテリーポスト１０２に組み付けられた後、可溶体エレメント３１の電源側端子３１ａのスタッドボルト３２Ａとバッテリー端子２のスタッドボルト２２とを接続するようにして連結端子６が設けられ、締付部２３を含む各部のボルト、ナット等が締め付けられる。この結果、バッテリー端子２は、バッテリーポスト１０２に締結されると共に、当該バッテリー端子２とヒュージブルリンク３とが電気的に接続される。このようにしてＦＬユニット１は、少なくとも上記の係止機構５とバッテリー端子２の締付部２３との２箇所でポスト立設面１０５上に固定される。そして、ＦＬユニット１は、さらに端子１０７等が接続された後、プロテクタ４にカバー７が装着される。
【００５８】
なおここでは、バッテリー端子２、ヒュージブルリンク３をプロテクタ４に組み付けた後にバッテリー端子２、ヒュージブルリンク３と共にプロテクタ４をポスト立設面１０５上に組み付けるものとして説明したが、これに限らず、プロテクタ４をポスト立設面１０５上に組み付けた後に、プロテクタ４にバッテリー端子２、ヒュージブルリンク３を組み付けてもよい。
【００５９】
以上で説明したＦＬユニット１によれば、バッテリー端子２と接続され過電流が流れたときに可溶体３１ｃが溶断するヒュージブルリンク３と、バッテリー端子２をバッテリー筐体１０１のポスト立設面１０５に設けられたバッテリーポスト１０２に締結可能な位置に装着する装着部４１、及び、装着部４１と連接されヒュージブルリンク３をポスト立設面１０５に保持する保持部４２を有するプロテクタ４と、プロテクタ４をポスト立設面１０５上に係止する係止機構５とを備え、係止機構５は、弾性変形可能に形成され先端部にバッテリー筐体１０１と係止可能である係止部５１ａが設けられたバネ体５１と、プロテクタ４に回動可能に支持されると共にバネ体５１を回動に伴って係止部５１ａとバッテリー筐体１０１とが係止される係止位置と係止部５１ａとバッテリー筐体１０１との係止が解除される解除位置との間で移動可能にプロテクタ４に支持する線状部材５２とを有する。そして、バネ体５１は、線状部材５２に支持される被支持部５１ｂを基端部として渦巻き状に形成され、渦巻き状の外側の先端部に係止部５１ａが設けられる。
【００６０】
したがって、ＦＬユニット１は、バッテリー端子２が装着されるプロテクタ４にヒュージブルリンク３を保持すると共に、弾性変形可能に形成されるバネ体５１と、バネ体５１を係止位置と解除位置との間で移動可能に支持する線状部材５２とを有する係止機構５によって、当該プロテクタ４をポスト立設面１０５上に係止する。これにより、ＦＬユニット１は、バネ体５１を解除位置から係止位置に移動させる動作の際に、線状部材５２を介して係止機構支持部４３に支持されるバネ体５１が弾性変形することで、バッテリー１００やこれらの構成部品の公差を吸収した上で、係止部５１ａとバッテリー筐体１０１とを確実に係止し、プロテクタ４をポスト立設面１０５上に係止することができる。このとき、バネ体５１は、線状部材５２に支持される被支持部５１ｂを基端部として渦巻き状に形成されることで、相対的に省スペースで適正にバネ体５１のバネ性を確保し各部の公差を吸収することができる。この結果、ＦＬユニット１は、バッテリー１００に対して適正に組み付けることができる。
【００６１】
またここでは、ＦＬユニット１は、バネ体５１が線状部材５２のレバー部５２ｃの回動に伴って係止位置と解除位置とに移動する構成であることから、レバー部５２ｃの位置を目視にて確認することで、バネ体５１による係止の状態を容易に確認することができる。より詳細には、ＦＬユニット１によれば、レバー部５２ｃは、バネ体５１が解除位置にある状態でのバネ体５１からの突出量Ｄ２が、バネ体５１が係止位置にある状態でのバネ体５１からの突出量Ｄ１より相対的に大きい。したがって、ＦＬユニット１は、バネ体５１が解除位置にある状態でレバー部５２ｃをより確実に目視しやすくすることができ、バネ体５１による係止の状態をより確実に確認することができるので、例えば、プロテクタ４がポスト立設面１０５上に係止されていることを容易に確認することができ、組み付け作業の効率性や確実性を向上することができる。
【００６２】
さらに、以上で説明したＦＬユニット１によれば、バネ体５１は、被支持部５１ｂと、被支持部５１ｂから線状部材５２の回動軸線Ｘ１に沿った第１幅方向と交差（直交）する第２幅方向に沿って延在する第１延在部５１ｃと、第１延在部５１ｃから被支持部５１ｂ側に折り返される第１屈曲部５１ｄと、第１屈曲部５１ｄから第２幅方向に沿って第１延在部５１ｃと並行して延在する第２延在部５１ｅと、被支持部５１ｂを挟んで第１屈曲部５１ｄとは反対側で第２延在部５１ｅから被支持部５１ｂ側に折り返される第２屈曲部５１ｆと、第２屈曲部５１ｆから第１幅方向、第２幅方向の双方と交差（直交）する軸方向に沿って延在し係止部５１ａが設けられる先端部を構成する第３延在部５１ｇとを含んで構成され、少なくとも第１屈曲部５１ｄが軸方向に弾性変形し第２屈曲部５１ｆが第２幅方向に弾性変形する。したがって、ＦＬユニット１は、バネ体５１全体を曲面状にしなくてもよりコンパクトな構成で渦巻き状に形成することができる。その上で、ＦＬユニット１は、少なくとも主にバネ体５１の第１屈曲部５１ｄが軸方向に弾性変形することで軸方向の公差を吸収し（図９中の矢印Ａ参照）、主にバネ体５１の第２屈曲部５１ｆが第２幅方向に弾性変形することで第２幅方向の公差を吸収することができる（図９中の矢印Ｂ参照）。
【００６３】
さらに、以上で説明したＦＬユニット１によれば、被支持部５１ｂは、第１延在部５１ｃから第１屈曲部５１ｄとは逆側に折り返され内側に線状部材５２が挿入される。したがって、ＦＬユニット１は、板金を曲げてバネ体５１を作製する際の加工性を向上できると共に、例えば、被支持部５１ｂが第１屈曲部５１ｄ側に折り返されるような場合と比較して、第１屈曲部５１ｄが軸方向に弾性変形し第２延在部５１ｅが被支持部５１ｂ側に当接するまでのストロークを相対的に大きくとることができるので、軸方向に対する公差吸収幅を相対的に広くすることができる。
【００６４】
さらに、ＦＬユニット１によれば、係止機構５は、バネ体５１がバッテリー筐体１０１と当接することでバッテリーポスト１０２を回転中心としたバッテリー端子２の回転を規制可能である。したがって、ＦＬユニット１は、プロテクタ４とバッテリー端子２とを一体でバッテリー１００に組み付けることができるので、当該プロテクタ４に設けられ係止機構５を構成するバネ体５１を、バッテリーポスト１０２に対するバッテリー端子２の組み付け角度を規制する規制部材としても兼用することができる。つまり、ＦＬユニット１は、係止部５１ａを有するバネ体５１がバッテリー端子２のバッテリーポスト１０２周り方向の回転を所定の範囲で規制するストッパとしても機能することで、バッテリーポスト１０２に対するバッテリー端子２の組み付け角度の許容範囲を相対的に狭い範囲に限定することができるので、バッテリーポスト１０２に対するバッテリー端子２の組み付け精度を向上することができる。すなわち、ＦＬユニット１は、いわゆるバッテリー端子ストッパとして兼用することができるので、例えば、製造コストを抑制することができる。またここでは、ＦＬユニット１は、バネ体５１が第１幅方向に対して保持部４２を挟んで装着部４１とは反対側に位置し、バッテリー端子２が締結され回転中心となるバッテリーポスト１０２から相対的に離れて位置していることから、バッテリーポスト１０２を回転中心とした回転に対してバネ体５１による係止位置を相対的に回転外側に位置させることができるので、回転に対する保持力を相対的に大きく確保することができる。
【００６５】
なお、以上で説明したバネ体５１は、上記の形状に限られない。図１６に示す変形例１に係るヒュージブルリンクユニットとしてのＦＬユニット２０１は、係止機構５にかえて係止機構２０５を備え、係止機構２０５は、バネ体５１にかえてバネ体２５１を有する。そして、バネ体２５１は、被支持部５１ｂにかえて被支持部２５１ｂを含んで構成される。本変形例の被支持部２５１ｂは、第１延在部５１ｃから第１屈曲部５１ｄ側に折り返され内側に線状部材５２が挿入される。この場合であっても、ＦＬユニット２０１は、バネ体２５１全体を曲面状にしなくてもよりコンパクトな構成で渦巻き状に形成することができ、その上で少なくとも主にバネ体２５１の第１屈曲部５１ｄが軸方向に弾性変形することで軸方向の公差を吸収し、主にバネ体２５１の第２屈曲部５１ｆが第２幅方向に弾性変形することで第２幅方向の公差を吸収することができる。
【００６６】
また、以上で説明した線状部材５２は、上記の形状に限られない。図１７に示す変形例２に係るヒュージブルリンクユニットとしてのＦＬユニット３０１は、係止機構５にかえて係止機構３０５を備え、係止機構３０５は、線状部材５２にかえて線状部材３５２を備える。本変形例の線状部材３５２は、線状部材５２と同様に、回動軸部５２ａと、連結部５２ｂとを含んで構成される一方、レバー部５２ｃを含んでいない。線状部材３５２は、回動軸部５２ａと連結部５２ｂとによって、バネ体５１を回動に伴って係止位置と解除位置との間で移動可能にプロテクタ４に支持する。この場合、ＦＬユニット３０１は、バネ体５１が直接つままれたり押圧されたりすることで、線状部材３５２の回動に伴ってバネ体５１が係止位置と解除位置との間で移動する。この場合であっても、ＦＬユニット３０１は、バッテリー１００に対して適正に組み付けることができる。またさらに、ＦＬユニット３０１は、線状部材３５２の加工工数を抑制することができると共に、装置の小型化にも資することができる。
【００６７】
［実施形態２］
図１８は、実施形態２に係るヒュージブルリンクユニットの係止機構支持部近傍の概略構成を表す斜視図である。実施形態２に係るヒュージブルリンクユニットは、主に付勢部を備える点で実施形態１とは異なる。以下では、上述した実施形態と同様の構成要素には共通の符号が付されるとともに、共通する構成、作用、効果については、重複した説明はできるだけ省略する（以下、同様。）。
【００６８】
図１８に示す本実施形態に係るヒュージブルリンクユニットとしてのＦＬユニット４０１は、プロテクタ４にかえてプロテクタ４０４を備え、プロテクタ４０４は、上述の装着部４１と、保持部４２と、係止機構支持部４３とを有すると共に、さらに付勢部４４４を有する。付勢部４４４は、バネ体５１を解除位置側に付勢するものである。本実施形態の付勢部４４４は、被支持部受け部４３ｃ近傍に突設されている樹脂板バネである。付勢部４４４は、基端部が被支持部受け部４３ｃと一体に形成され、先端部が軸方向上側でかつ第２幅方向の筐体側面側とは反対側に向けて突出するようにして形成される。ここでは、付勢部４４４は、装着部４１と、保持部４２と、係止機構支持部４３と共に絶縁性の樹脂材によって一体形成され、係止機構支持部４３の板状基部４３ａに弾性変形可能に支持される。付勢部４４４は、バネ体５１の被支持部５１ｂ、第１延在部５１ｃと板状基部４３ａとの間に介在する。
【００６９】
上記のように構成される付勢部４４４は、バネ体５１が係止位置に位置する状態ではバネ体５１の第１延在部５１ｃ等によって板状基部４３ａ側に押圧されて変形する。この状態で、付勢部４４４は、バネ体５１を解除位置側に付勢する状態となるが、係止部５１ａがバッテリー筐体１０１に係止されている状態では、板状基部４３ａ側に押圧されバネ体５１が係止位置に位置する状態が維持される。そして、付勢部４４４は、係止部５１ａとバッテリー筐体１０１との係止が解除されると、付勢によってバネ体５１を解除位置側に移動させ、当該バネ体５１を解除位置に位置させる。
【００７０】
以上で説明したＦＬユニット４０１は、バッテリー端子２が装着されるプロテクタ４０４にヒュージブルリンク３を保持すると共に、弾性変形可能に形成されるバネ体５１と、当該バネ体５１を係止位置と解除位置との間で移動可能に支持する線状部材５２とを有する係止機構５によって、当該プロテクタ４０４をポスト立設面１０５上に係止することから、バッテリー１００に対して適正に組み付けることができる。
【００７１】
そしてさらに、以上で説明したＦＬユニット４０１によれば、バネ体５１を解除位置側に付勢する付勢部４４４を備える。したがって、ＦＬユニット４０１は、係止部５１ａがバッテリー筐体１０１に係止されていない状態では、付勢部４４４の付勢力によってバネ体５１を解除位置側に位置させておくことができるので、係止部５１ａがバッテリー筐体１０１に係止されていないことをより確実に目視しやすくすることができる。この結果、言い換えれば、ＦＬユニット４０１は、例えば、プロテクタ４０４がポスト立設面１０５上に係止されていることを容易に確認することができ、組み付け作業の効率性や確実性を向上することができる。
【００７２】
なお、付勢部４４４は、装着部４１、保持部４２、係止機構支持部４３と共に樹脂材によって一体形成されるものとして説明したがこれに限らず、プロテクタ４０４とは別体に形成される金属バネ等であってもよく、バネ体５１を解除位置側に付勢する構成であれば配置位置も上記に限られない。
【００７３】
［実施形態３］
図１９は、実施形態３に係るヒュージブルリンクユニットの第１係止爪部を含む第１幅方向に沿った部分断面図である。実施形態３に係るヒュージブルリンクユニットは、主にロック片を備える点で実施形態１とは異なる。
【００７４】
図１９に示す本実施形態に係るヒュージブルリンクユニットとしてのＦＬユニット５０１は、カバー７にかえてカバー５０７を備える。カバー５０７は、カバー７と同様の構成に加えてさらにロック片５０７ｆを含んで構成される。ロック片５０７ｆは、カバー５０７の天井部７ａからカバー空間部７ｃ側に突出したリブ状に形成される。ロック片５０７ｆは、軸方向に沿って延在する。ロック片５０７ｆは、カバー５０７がプロテクタ４に装着された状態で、第１係止爪部４２ｅが形成された側壁部４２ｂの背面、ここでは、第１係止爪部４２ｅが突出する面とは反対側の面と当接する位置に形成される。ロック片５０７ｆは、カバー５０７がプロテクタ４に装着された状態で、第１係止爪部４２ｅが形成された側壁部４２ｂの背面と当接することで、当該側壁部４２ｂの倒れを規制する。
【００７５】
以上で説明したＦＬユニット５０１は、バッテリー端子２が装着されるプロテクタ４にヒュージブルリンク３を保持すると共に、弾性変形可能に形成されるバネ体５１と、当該バネ体５１を係止位置と解除位置との間で移動可能に支持する線状部材５２とを有する係止機構５によって、当該プロテクタ４をポスト立設面１０５上に係止することから、バッテリー１００に対して適正に組み付けることができる。
【００７６】
そしてさらに、以上で説明したＦＬユニット５０１によれば、カバー５０７は、プロテクタ４に装着された状態で、ヒュージブルリンク３を係止するための第１係止爪部４２ｅが形成された側壁部４２ｂの背面と当接することで、当該側壁部４２ｂの倒れを規制するロック片５０７ｆを有する。したがって、ＦＬユニット５０１は、ロック片５０７ｆによって第１係止爪部４２ｅが形成された側壁部４２ｂの倒れを規制することができるので、ヒュージブルリンク３を係止した状態の第１係止爪部４２ｅが側壁部４２ｂの倒れに伴ってヒュージブルリンク３から外れてしまうことを抑制することができる。この結果、ＦＬユニット５０１は、より確実にプロテクタ４にヒュージブルリンク３を保持することができ、バッテリー１００に対してより適正に組み付けることができる。
【００７７】
なお、ロック片５０７ｆは、カバー５０７をプロテクタ４から取り外す際の回動軌跡の先端側に位置しており、当該カバー５０７の回動を阻害することがないので、カバー５０７は、ロック片５０７ｆを有していても適正にプロテクタ４から取り外すことができる。
【００７８】
なお、上述した本発明の実施形態に係るヒュージブルリンクユニットは、上述した実施形態に限定されず、特許請求の範囲に記載された範囲で種々の変更が可能である。
【００７９】
以上で説明したＦＬユニット１は、ＥＮ規格のバッテリー１００に適用されるものとして説明したがこれに限らず、他の規格、例えば、ＪＩＳ規格等のバッテリーに適用されてもよいし、規格にかかわらず種々のバッテリーに適用されてもよい。
【００８０】
以上で説明したポスト立設面１０５は、例えば、バッテリー１００が車両等に搭載された状態で、蓋部材１０４において凹部１０６が設けられた鉛直方向上側の面に形成されるものとして説明したがこれに限らず、バッテリー１００が凹部１０６を有さない構成において、蓋部材１０４の鉛直方向上側の面によって形成されてもよいし、鉛直方向上側の面以外の面によって形成されてもよい。
【００８１】
以上の説明では、ＦＬユニット１は、陽極用のバッテリーポスト１０２に設けられるバッテリー端子２に対して適用されるものとして説明したが、これに限らず、陰極用のバッテリーポスト１０２に設けられるバッテリー端子２に対して適用されてもよい。
【００８２】
また、以上の説明では、第１方向は、第１幅方向、第２方向は、第２幅方向、第３方向は、軸方向であり、互いに直交するものとして説明したがこれに限らず、第１方向、第２方向、第３方向の関係が上記とは異なっていてもよい。
【符号の説明】
【００８３】
１、２０１、３０１、４０１、５０１    ＦＬユニット（ヒュージブルリンクユニット）
２    バッテリー端子
３    ヒュージブルリンク
４、４０４    プロテクタ（保持機構）
５、２０５、３０５    係止機構
３１ｃ    可溶体
４１    装着部
４２    保持部
５１、２５１    バネ体
５１ａ    係止部
５１ｂ、２５１ｂ    被支持部
５１ｃ    第１延在部
５１ｄ    第１屈曲部
５１ｅ    第２延在部
５１ｆ    第２屈曲部
５１ｇ    第３延在部
５２、３５２    線状部材
１００    バッテリー
１０１    バッテリー筐体
１０２    バッテリーポスト
１０５    ポスト立設面
４４４    付勢部
Ｘ１    回動軸線
【図１】
0006600547.tif 000002
【図２】
0006600547.tif 000003
【図３】
0006600547.tif 000004
【図４】
0006600547.tif 000005
【図５】
0006600547.tif 000006
【図６】
0006600547.tif 000007
【図７】
0006600547.tif 000008
【図８】
0006600547.tif 000009
【図９】
0006600547.tif 000010
【図１０】
0006600547.tif 000011
【図１１】
0006600547.tif 000012
【図１２】
0006600547.tif 000013
【図１３】
0006600547.tif 000014
【図１４】
0006600547.tif 000015
【図１５】
0006600547.tif 000016
【図１６】
0006600547.tif 000017
【図１７】
0006600547.tif 000018
【図１８】
0006600547.tif 000019
【図１９】
0006600547.tif 000020